(57)【特許請求の範囲】
【請求項１】
有底短円筒状で外周壁面部８に温水吐出用の開口９並びに温水戻り用の開口１０を形成したフイルターキャップ本体２と、このフイルターキャップ本体２の外周壁面部８および円形面部６からなる外面を被覆するようにして取り付け出来、且つフイルターキャップ本体２の上記温水吐出用の開口９並びに温水戻り用の開口１０と一致する位置に開口１５，１６を形成したフイルターカバー３と、上記フイルターカバー３の外周壁面部１４の上記各開口１５，１６に着脱自在に取り付け出来る開口用通水カバー４とからなり、
上記開口用通水カバー４は、合成樹脂によって一体形成されたものであって、フイルターカバー３の外周壁面部８に沿うように円弧状に形成すると共にフイルターカバー３の上記開口１５，１６の周縁部２４を被覆出来るように形成した枠部２０と、上記枠部２０の両端部の内側に突出するように楔状に形成すると共にフイルターカバー３の上記開口１５，１６の両端側の周縁部２４に嵌め合わすことが出来る凹溝２７を上記楔状の部分の根元部分２６の外側に形成した係止突片部２５とによって構成されていることを特徴とする温水循環接続具用のフイルターキャップ。
【請求項２】
枠部２０の内側開口部分２１に網体１９を設けたことを特徴とする請求項１記載の温水循環接続具用のフイルターキャップ。
【請求項３】
フイルターキャップ本体２は円形面部６に放射状に所定間隔を以て形成した略三角形状の複数の開口部７を有し、フイルターカバー３は上記フイルターキャップ本体２の略三角形状の複数の開口部７と一致する位置に開口部１３を有し、
上記フイルターキャップ本体２の円形面部６と上記フイルターカバー３の円形面部１２との間に設けて、上記各開口９、１０、１５，１６を通水自在に覆う円形状網体５を備えていることを特徴とする請求項１または２記載の温水循環接続具用のフイルターキャップ。
【発明の詳細な説明】
【０００１】
【発明の属する技術分野】
本発明は、浴槽と給湯装置との間で温水を循環させるために、浴槽の側面部に形成された孔の部分に取り付けられる温水循環接続具の一部品であるフイルターキャップに関するものである。
【０００２】
【従来の技術】
図８に示すように一般に各家庭等に設置されている浴槽Ａは、給湯装置Ｂに温水循環接続具Ｃ等を介して接続されている。この温水循環接続具Ｃの内部には、温水往路と温水戻り路が形成され、給湯装置Ｂに設けられた循環ポンプ（図示せず）を作動させて浴槽Ａ内の温水（または水）を温水循環接続具Ｃの温水戻路から給湯装置Ｂ側に戻すと共に、給湯装置Ｂ側に戻された温水（または水）を給湯装置Ｂの燃焼加熱部（図示せず）で加熱し、温水循環接続具Ｃの温水往路を介して浴槽Ａ内に吐出している。温水は上記のように循環ポンプによって浴槽Ａと給湯装置Ｂとの間を温水循環接続具Ｃを介して強制循環されている。
【０００３】
そこで、上記のように温水を強制的に循環させるために使用される温水循環接続具としては、例えば図９に示すような温水循環接続具Ｃや、実開平５ー１９８５９号公報に記載のようなものなど、従来から種々のものが開発されている。これらの温水循環接続具Ｃ（便宜上、図８、図９に示す温水循環接続具Ｃを参照する）は、施工時に、浴槽Ａの側面部Ｄに形成した孔Ｅの部分に、吐出口Ｆと吸込口Ｇが浴槽Ａ内に臨むようにして取り付けられ、最後に浴槽Ａ内からフイルターキャップＨが取り付けられる。
【０００４】
上記のフイルターキャップＨは、フイルターキャップ本体ＩとフイルターカバーＪと円形面用網体Ｋおよび各開口用網体Ｌとからなり、これらのフイルターキャップ本体ＩおよびフイルターカバーＪの外周面部の同一位置には、上記した吐出口Ｆ並びに吸込口Ｇと一致する位置にプレス等の打抜きで開口Ｍが形成されている。そして図１０、図１１に示すようにフイルターカバーＪに形成した開口Ｍには、内側からフイルターとなる開口用網体Ｌがスポット溶接Ｎ等によって取り付けられていた。
【０００５】
【発明が解決しようとする課題】
ところが、使用中に面積の小さい開口用網体Ｌに水垢や塵等が付着して目詰まりを起こした場合には、この開口用網体Ｌだけを取り外して水垢等を除去するといったことは出来ず、フイルターキャップＨ全体を取り外して開口用網体Ｌの掃除をしなければならず、その間は浴槽Ａを使用することが出来ないといった問題があった。また、フイルターカバーＪは金属材によって形成されている場合が殆どであり、浴槽内に打抜きによる開口Ｍの鋭利な内周縁Ｏが露出した状態となっているため、入浴中などにこの部分に触れると怪我をしてしまうといった懸念があった。
【０００６】
本発明は上記のような点に鑑みて開発されたものであり、その目的とするところは、フイルターキャップに形成した開口に簡単に開口用通水カバーを着脱出来ると共に、開口用通水カバーのみを外して簡単に掃除することが出来、またフイルターカバーの開口の鋭利な内周縁で怪我をするといったことを防止出来る温水循環接続具用のフイルターキャップを提供することにある。
【０００７】
【課題を解決するための手段】
本発明は上記目的を有効に達成するために、次のような構成にしてある。すなわち、請求項１記載の本発明の温水循環接続具用のフイルターキャップは、有底短円筒状で外周壁面部８に温水吐出用の開口９並びに温水戻り用の開口１０を形成したフイルターキャップ本体２と、このフイルターキャップ本体２の外周壁面部８および円形面部６からなる外面を被覆するようにして取り付け出来、且つフイルターキャップ本体２の上記温水吐出用の開口９並びに温水戻り用の開口１０と一致する位置に開口１５，１６を形成したフイルターカバー３と、上記フイルターカバー３の外周壁面部１４の上記各開口１５，１６に着脱自在に取り付け出来る開口用通水カバー４とからなり、上記開口用通水カバー４は、合成樹脂によって一体形成されたものであって、フイルターカバー３の外周壁面部８に沿うように円弧状に形成すると共にフイルターカバー３の上記開口１５，１６の周縁部２４を被覆出来るように形成した枠部２０と、上記枠部２０の両端部の内側に突出するように楔状に形成すると共にフイルターカバー３の上記開口１５，１６の両端側の周縁部２４に嵌め合わすことが出来る凹溝２７を上記楔状の部分の根元部分２６の外側に形成した係止突片部２５とによって構成されている。
【０００８】
また、請求項２記載の本発明の温水循環接続具用のフイルターキャップは、請求項１の温水循環接続具用のフイルターキャップの構成において、枠部２０の内側開口部分２１に網体１９を設けたことを特徴とする構成にしてある。
【０００９】
また、請求項３記載の本発明の温水循環接続具用のフイルターキャップは、請求項１または２記載の温水循環接続具用のフイルターキャップの構成において、フイルターキャップ本体２は円形面部６に放射状に所定間隔を以て形成した略三角形状の複数の開口部７を有し、フイルターカバー３は上記フイルターキャップ本体２の略三角形状の複数の開口部７と一致する位置に開口部１３を有し、上記フイルターキャップ本体２の円形面部６と上記フイルターカバー３の円形面部１２との間に設けて、上記各開口９、１０、１５，１６を通水自在に覆う円形状網体５を備えていることを特徴とする構成にしてある。
【００１０】 
【００１１】
【発明の実施の形態】
本発明の実施の形態を添付の図１〜図７に基づいて説明する。図１に示すように本発明に係る一例の温水循環接続具用のフイルターキャップ１は、フイルターキャップ本体２と、フイルターカバー３と、２つの開口用通水カバー４と、円形状網体５とによって構成されている。
【００１２】
より具体的に説明すると、フイルターキャップ本体２は合成樹脂によって全体が有底短円筒状に形成され、有底部分である円形面部６には放射状に所定間隔を以て略三角形状の複数の開口部７が形成されている。また、このフイルターキャップ本体２の外周壁面部８には、温水吐出用の長方形状の開口９並びに温水戻り用の長方形状の開口１０が形成されている。各開口９、１０の外面側の内周部にはフイルターキャップ本体２の肉厚を薄くするようにして段差部９ａ、１０ａが形成されている。この段差部９ａ、１０ａは、フイルターキャップ本体２と後述するフイルターカバー３との間に開口用通水カバー４を係止出来る隙間を確保するために形成されたものである。また、両開口９，１０は同じ大きさである。さらにこのフイルターキャップ本体２の外周壁面部８の均等な三箇所には、フイルターカバー３を係止するための係止凸部１１が外方に突出形成してある。
【００１３】
フイルターカバー３は、ステンレスによってフイルターキャップ本体２の外面、すなわち、円形面部６および外周壁面部８の外面部分を被覆出来るように全体が有底短円筒状に形成されている。このフイルターカバー３の底部分である円形面部１２（図６参照）にも、フイルターキャップ本体２の円形面部６の開口部７と同様の開口部１３が同一位置に形成されている。また、フイルターカバー３の外周壁面部１４には、フイルターキャップ本体２の各開口９、１０と一致する位置に温水吐出用の開口１５（図１参照）並びに温水戻り用の開口１６が形成され、さらに、このフイルターカバー３には、フイルターキャップ本体２の係止凸部１１を係止させるための孔１７が三箇所に形成してある。
【００１４】
次に開口用通水カバー４は、上記のフイルターカバー３の開口１５、１６に着脱自在に取り付けられるように形成されたものである。
【００１５】
開口用通水カバー４には、枠体１８だけの構成のもの（図２、図３参照）と、この枠体１８に網体１９を設けたもの（図４、図５参照）とがある。図２、図３に示す枠体１８だけの構成の開口用通水カバー４は、全体が合成樹脂によって一体的に形成され、枠部２０はフイルターカバー３の各開口１５、１６より少し大きめの長方形状に形成され、フイルターカバー３の外周壁面部１４に沿うように円弧状に形成されている。枠部２０の内側は各開口１５、１６と略同じ位の大きさの角孔２１になっており、この枠部２０の裏側には、角孔２１を囲繞するようにしてリブ２２が形成されている。この開口用通水カバー４をフイルターカバー３の各開口１５、１６に嵌めたとき、このリブ２２の外周面２３がフイルターカバー３の各開口１５、１６の周縁部２４（図１参照）に沿うようにして嵌まり込むようにしてある。さらに、この枠部２０の裏面の両端には、裏面から突出するようにして係止突片部２５が夫々形成されている。各係止突片部２５は楔状であって根元部分２６には凹溝２７が形成され、この開口用通水カバー４をフイルターカバー３の各開口１５、１６に嵌めたとき、この凹溝２７にフイルターカバー３の各開口１５、１６の両端周縁部２４ａ（図１、図６参照）が嵌まり込み、開口用通水カバー４をフイルターカバー３の各開口１５、１６に係止出来るようになっている。
【００１６】
また、図４、図５に示すもう一方の開口用通水カバー４は、枠体１８の構成については上記構成と同様であり説明を省略する。この枠体１８の角孔２１は、網体１９で覆われている。すなわち、網体１９は角孔２１より少し大きめの長方形状であって、網体１９の外周部２９は枠部２０の裏面とリブ２２との間に位置するようにして設けてある。網体１９は金属材、例えばステンレスによって形成された目の細かい格子状のものである。勿論、フイルターとしての機能を有するのであれば、網体１９の網目形状を格子状以外の他の形状にしてもよい。また網体１９はステンレス以外の金属材によって形成するも、或いは耐蝕メッキを施した金属材であってもよい。さらに、網体１９は合成樹脂によって形成してもよい。
【００１７】
また、図示のフイルターキャップ１（図１参照）においては、上記のフイルターキャップ本体２と、このフイルターキャップ本体２を嵌着するフイルターカバー３との間に、円形面部５、６の各開口部７、１３を１枚で覆うフイルターとしての円形状網体５が設けてある。円形状網体５は金属材によって形成されている。勿論、合成樹脂によって形成したものであってもよい。
【００１８】
なお、本発明に係るフイルターキャップ１は、フイルターキャップ本体２およびフイルターカバー３の円形面部６、１２に開口部７、１３の形成されていない閉塞されたものであってもよい。
【００１９】
上記のような構成からなる本発明に係るフイルターキャップ１にあっては、通常は網体１９を設けた開口用通水カバー４（図１、図４〜図６参照）を、フイルターカバー３の各開口１５に取り付けて図８に示す従来からの使用例と同様にして使用する。そして長期使用中に開口用通水カバー４の網体１９に湯垢や塵等が付着して目詰まりが生じた場合、フイルターカバー３の開口１５から開口用通水カバー４を外し網体１９に付着した塵等を除去し、再びフイルターカバー３の開口１５に取り付ける。
【００２０】
取り付ける場合は（最初の取り付けの場合も同様である。図３、図５、図６参照）、開口用通水カバー４の枠部２０の短辺側両端を指で挟んで枠部２０を少し撓ませ、一方の係止突片部２５の根元部分２６に形成した凹溝２７をフイルターカバー３の開口１５の一端の周縁部２４ａに嵌め込む。さらに他方の係止突片部２５の凹溝２７を反対側の開口１５の他端周縁部２４ａに嵌め込んで、開口用通水カバー４をフイルターカバー３の開口１５に取り付ける。なお、網体１９のない枠体１８のみの枠部２０を着脱する場合も同様にして行われる。
【００２１】
また、湯垢や塵等により温水循環接続具の内部の圧力損失が大きくなった場合は、網体１９付きの開口用通水カバー４を外し、この外したフイルターカバー３の開口１５（１６）に、上記と同様にして枠体１８だけの構成の開口用通水カバー４を取り付ける。この開口用通水カバー４をフイルターカバー３の開口１５（１６）に取り付けることにより、フイルターカバー３の開口１５（１６）の鋭利な周縁部２４は外部に露出せず、この周縁部２４によって怪我をするといったこともない。
【００２２】
なお、本発明に係るフイルターキャップは、図８、図９に示すタイプの温水循環接続具に使用が限定されるものではなく、温水循環接続具内で吐出通路と戻り通路を逆にすることが出来る通路切換え手段を有する温水循環接続具をはじめ、あらゆる種類の温水循環接続具に使用することが出来ることは勿論のことである。
【００２３】
【発明の効果】
このように請求項１記載の本発明のフイルターキャップでは、フイルターキャップ本体の外面を被覆するフイルターカバーの各開口に、開口用通水カバーを着脱自在に取り付け出来るようにしてあるので、この開口用通水カバーを各開口に取り付けることによってフイルターカバーの開口の鋭利な内周縁を覆うことが出来、この内周縁に触れて怪我をするといったことを確実に防止することが出来る。
【００２４】
また、請求項２記載の本発明のフイルターキャップでは、開口用通水カバーの枠部がフイルターカバーの外周壁面部に沿うように円弧状に形成してあるので、フイルターカバーの開口に開口用通水カバーを嵌め込むときに少し枠部を撓ませるだけで簡単に取り付けることが出来る。また、枠部に係止突片部が形成してあるので、この両係止突片部をフイルターカバーの開口の周縁部に係止することにより、確実に且つ強固に開口用通水カバーをフイルターカバーの開口に取り付けることが出来る。
【００２５】
また、請求項３記載の本発明のフイルターキャップでは、開口用通水カバーが枠部と係止突片部、および枠部の内側開口部分に設けた網体とからなる構成であるので、請求項２と同様の効果を有すると共に、網体によって温水循環接続具内への塵等の侵入を防止することが出来る。
【００２６】
また、請求項４記載の本発明のフイルターキャップでは、上記した請求項１〜請求項３の効果を有すると共に、フイルターキャップ本体およびフイルターカバーの円形面部に開口部を形成しこの開口部を網体で被覆した構成であるので、より多くの量の温水をこの開口部を介して浴槽と給湯装置との間を循環させることが出来る。また、開口部から温水循環接続具内に流入しようとする塵等も網体によって防ぐことが出来る。
【図面の簡単な説明】
【図１】本発明に係るフイルターキャップの一部分解斜視図である。
【図２】開口用通水カバーの平面図である。
【図３】図２の一部切欠断面を示す正面図である。
【図４】他の開口用通水カバーの平面図である。
【図５】図４の一部切欠断面を示す正面図である。
【図６】本発明に係るフイルターカバーに開口用通水カバーを取り付けた状態の説明図である。
【図７】フイルターカバーの開口への開口用通水カバーの取り付け部分を拡大した説明図である。
【図８】フイルターキャップの使用状態を示す説明図である。
【図９】一例の温水循環接続具の分解斜視図である。
【図１０】従来のフイルターカバーの説明図である。
【図１１】従来のフイルターカバーの開口への網体の取り付けた状態を示す要部拡大説明図である。
【符号の説明】
１     フイルターキャップ
２     フイルターキャップ本体
３     フイルターカバー
４     開口用通水カバー
６     円形面部
７     円形面部の開口
８     外周壁面部
９     温水吐出用の開口
１０   温水戻り用の開口
１２   円形面部
１３   円形面部の開口部
１４   フイルターカバーの外周壁面部
１５   温水吐出用の開口
１６   温水戻り用の開口
１８   枠体
１９   網体
２０   枠部
２１   枠体の内側開口
２４   フイルターカバーの開口の周縁部
２５   係止突片部
【図１】
0003782858.tif 000002
【図２】
0003782858.tif 000003
【図３】
0003782858.tif 000004
【図４】
0003782858.tif 000005
【図５】
0003782858.tif 000006
【図６】
0003782858.tif 000007
【図７】
0003782858.tif 000008
【図８】
0003782858.tif 000009
【図９】
0003782858.tif 000010
【図１０】
0003782858.tif 000011
【図１１】
0003782858.tif 000012